(57)【要約】【課題】  乳幼児の成長に合わせて乳幼児通行規制用柵の形態を変更することにより、継続して使用することができる乳幼児通行規制用柵を提供する。【解決手段】  縦方向及び横方向に延びる板状に形成され、横方向における第１端部１３及び第２端部１４にそれぞれ連結部１５，１６が形成されている複数の柵部材１と、柵部材１の第１端部１３及び第２端部１４の少なくとも何れか一方の連結部１５，１６と連結可能である連結部３３，５３を有する柵支持部材２，３と、を備え、ある柵部材１の連結部１５は、他の柵部材１の連結部１６と双方の柵部材１の縦方向が互いに一致するように連結可能に形成され、柵支持部材２，３の連結部３３，５３は、柵支持部材２，３が柵部材１を縦方向において起立させて柵部材１を支持するように柵部材１の連結部と連結可能に形成されている。【選択図】      図２
2014166262.tif 000002
【特許請求の範囲】
【請求項１】
縦方向及び横方向に延びる板状に形成され、前記横方向における第１端部及び第２端部にそれぞれ連結部が形成されている複数の柵部材と、
前記柵部材の第１端部及び第２端部の少なくとも何れか一方の連結部と連結可能である連結部を有する柵支持部材と、を備え、
ある前記柵部材の連結部は、他の前記柵部材の連結部と双方の柵部材の縦方向が互いに一致するように連結可能に形成され、
前記柵支持部材の連結部は、当該柵支持部材が前記柵部材を前記縦方向において起立させて当該柵部材を支持するように前記柵部材と連結可能に形成されている、乳幼児通行規制用柵。
【請求項２】
囲いを構成するように複数の前記柵部材が連結されている、請求項１に記載の乳幼児通行規制用柵。
【請求項３】
前記柵部材と前記柵支持部材とが連結されている、請求項１に記載の乳幼児通行規制用柵。
【請求項４】
前記柵支持部材は、前記柵部材が起立するように前記柵部材を支持した状態において上下方向に延在する貫通孔を有する側部と、前記柵部材の設置場所の床と天井との間で突っ張る突張機構を備える、前記側部の貫通孔に挿通可能な突張部と、を備えている、請求項１乃至３の何れかに記載の乳幼児通行規制用柵。
【請求項５】
前記柵支持部材は、前記柵部材の下端に対応する高さで前記柵部材の延在面と直交する方向に延在する脚部を含む、請求項１乃至３の何れかに記載の乳幼児通行規制用柵。
【請求項６】
前記柵支持部材は、前記柵部材が起立するように前記柵部材を支持した状態において上下方向に延在する貫通孔を有する側部と、前記貫通孔に挿通可能な杆部と、前記杆部の両端を前記柵部の設置場所の壁にそれぞれ固定する固定部と、を備えている、請求項１乃至３の何れかに記載の乳幼児通行規制用柵。
【発明の詳細な説明】
【技術分野】
【０００１】
本発明は、乳幼児の通行や行動範囲を規制・制約するために用いる乳幼児通行規制用柵に関する。
【背景技術】
【０００２】
従来から、乳幼児にとって危険な場所への乳幼児の移動を規制するために、乳幼児の行動範囲を制約するベビーサークルが知られている（例えば特許文献１参照）。
【０００３】
このベビーサークルは、ドア体と共通パネルとコーナーパネルとを備え、ドア体と共通パネルとをコーナーパネルで連結して四角形のベビーサークルを形成する。これによって、ベビーサークルによって囲まれた領域に乳幼児の行動範囲を制約することができる。
【先行技術文献】
【特許文献】
【０００４】
【特許文献１】特開２０００−２４５５８２号公報
【発明の概要】
【発明が解決しようとする課題】
【０００５】
しかし、特許文献１に記載のベビーサークルは、ベビーサークルとして使用することを前提としている。したがって、乳幼児の成長に伴ってベビーサークルによって囲まれた領域が狭小となったときは、ベビーサークルを他の用途に転用することができず、継続して使用することができないという問題があった。
【課題を解決するための手段】
【０００６】
上記課題を解決するため、本発明のある態様に係る乳幼児通行規制用柵は、縦方向（縦軸方向）及び横方向（横軸方向）に延びる板状に形成され、前記横方向における第１端部及び第２端部にそれぞれ連結部が形成されている複数の柵部材と、前記柵部材の第１端部及び第２端部の少なくとも何れか一方の連結部と連結可能である連結部を有する柵支持部材と、を備え、ある前記柵部材の連結部は、他の前記柵部材の連結部と双方の柵部材の縦方向が互いに一致するように連結可能に形成され、前記柵支持部材の連結部は、当該柵支持部材が前記柵部材を前記縦方向において起立させて当該柵部材を支持するように前記柵部材と連結可能に形成されている。
【０００７】
この構成によれば、ある柵部材の連結部を他の柵部材の連結部と、例えば、双方の柵部材が連結される部分において互いに屈曲するように連結することにより、双方の柵部材を縦方向において起立させることができる。従って、適宜な数の柵部材を上述の要領で連結することによって、柵部材の囲いを形成することができる。一方、柵部材の連結部に柵支持部材の連結部を連結することによって、柵支持部材が柵部材を縦方向において起立させて柵部材を支持するので、柵部材によって通路を塞ぐことができる。従って、乳幼児通行規制用柵を、ベビーサークル及びベビーフェンスとしての用途にあった形態に変更することができる。したがって、乳幼児の成長に合わせて形態を変更することにより、継続して使用することができる。
【０００８】
囲いを構成するように複数の前記柵部材が連結されていてもよい。
【０００９】
この構成によれば、ベビーサークルとして使用することができる。
【００１０】
前記柵部材と前記柵支持部材とが連結されていてもよい。
【００１１】
この構成によれば、ベビーフェンスとして使用することができる。
【００１２】
前記柵支持部材は、前記柵部材が起立するように前記柵部材を支持した状態において上下方向に延在する貫通孔を有する側部と、前記柵部材の設置場所の床と天井との間で突っ張る突張機構を備える、前記側部の貫通孔に挿通可能な突張部と、を備えていてもよい。
【００１３】
この構成によれば、設置場所の床と天井との間に固定し、ベビーフェンスとして使用することができる。
【００１４】
前記柵支持部材は、前記柵部材の下端に対応する高さで前記柵部材の延在面と直交する方向に延在する脚部を含んでいてもよい。
【００１５】
この構成によれば、設置場所の床に載置し、ベビーフェンスとして使用することができる。
【００１６】
前記柵支持部材は、前記柵部材が起立するように前記柵部材を支持した状態において上下方向に延在する貫通孔を有する側部と、前記貫通孔に挿通可能な杆部と、前記杆部の両端を前記柵部の設置場所の壁にそれぞれ固定する固定部と、を備えていてもよい。
【００１７】
この構成によれば、設置場所の壁に固定し、ベビーフェンスとして使用することができる。
【発明の効果】
【００１８】
本発明は、乳幼児の成長に合わせて乳幼児通行規制用柵の形態を変更することにより、継続して使用することができるという効果を奏する。
【図面の簡単な説明】
【００１９】
【図１】本発明の実施の形態１に係る乳幼児通行規制用柵の構成例を示す斜視図であり、ベビーサークルとしての使用形態を示す斜視図である。
【図２】図１の乳幼児通行規制用柵のベビーフェンスとしての使用形態を示す斜視図である。
【図３】図１の乳幼児通行規制用柵の柵部材及び柵支持部材を示す正面図である。
【図４】図１の乳幼児通行規制用柵をベビーフェンスとして使用する場合における乳幼児通行規制用柵の組み立て方法を示す斜視図である。
【図５】図１の乳幼児通行規制用柵のベビーフェンスとしての別の使用形態を示す斜視図である。
【図６】本発明の実施の形態２に係る乳幼児通行規制用柵の構成例を示す斜視図であり、ベビーフェンスとしての使用形態を示す図である。
【図７】本発明の実施の形態３に係る乳幼児通行規制用柵の構成例を示す斜視図であり、ベビーフェンスとしての使用形態を示す図である。
【発明を実施するための形態】
【００２０】
以下、本発明の実施の形態について、図面を参照しながら説明する。なお、本実施の形態によって本発明が限定されるものではない。また、以下では、全ての図を通じて、同一又は相当する要素には同一の参照符号を付して、その重複する説明を省略する。
【００２１】
（実施の形態１）
図１は、本発明の実施の形態１に係る乳幼児通行規制用柵１００の構成例を示す斜視図であり、ベビーサークルとしての使用形態を示す斜視図である。図２は、乳幼児通行規制用柵１００のベビーフェンスとしての使用形態を示す斜視図である。図３は、乳幼児通行規制用柵１００の柵部材１及び柵支持部材２，３を示す正面図である。
【００２２】
図１〜図３に示すように、乳幼児通行規制用柵１００は、複数の柵部材１と、複数の柵支持部材と、を備えている。本実施の形態において、乳幼児通行規制用柵１００は、６つの柵部材１と、一対の柵支持部材２，３とを備えている。なお、柵部材１及び柵支持部材２，３の数は、上記の数に限られない。
【００２３】
柵部材１は、縦方向及び横方向に延びる板状に形成されている。本実施の形態において、柵部材１は、例えば、ブロー成形によって成形されている中空の部材である。そして、図３に示すように、柵部材１は、対向する一対の面１０と、横方向に延びる一対の面１０の上縁を接続する上端面１１と、横方向に延びる一対の面１０の下縁を接続する下端面１２と、縦方向に延びる一対の面１０の一方の側縁を接続し、且つ、上端面１１及び下端面１２の横方向における一方の側端を接続する第１端面１３と、一対の面１０の横方向における他方の側縁を接続し、且つ、上端面１１及び下端面１２の他方の側端を接続する第２端面１４とを有する。第１端面１３及び第２端面１４が、第１端部及び第２端部を構成する。
【００２４】
以下では、説明の便宜上、下端面１２から上端面１１に向かう方向を上といい、その反対方向を下ということがある。
【００２５】
そして、柵部材１の第１端面１３に縦方向に並ぶ上下一対の第１連結部１５が形成されている。また、柵部材１の第２端面１４に縦方向に並ぶ上下一対の第２連結部１６が形成されている。
【００２６】
第１連結部１５は、第１端面１３から外方に突出する係合アーム２０と、各係合アーム２０の先端部から上方に延在する円柱状の上側係合軸２１と、各係合アーム２０の先端部から下方に延在し、上側係合軸２１と同軸に配置された円柱状の下側係合軸２２とを備えている。
【００２７】
第２連結部１６は、他の柵部材１の第１連結部１５と双方の柵部材１の縦方向が互いに一致するように連結可能に形成されている。本実施の形態において、第２連結部１６は、後述する第４連結部５３とも連結可能に形成されている。そして、第２端面１４に形成された切欠部２３と、切欠部２３の底部から上方に延在する上側係合軸受入溝２４と、切欠部２３の底部から下方に延在する下側係合軸受入溝２５と、を備えている。
【００２８】
一対の切欠部２３は、柵部材１が他の柵部材１の第１連結部１５と連結される際に他の柵部材１の一対の係合アーム２０が挿入される部分であり、それぞれの切欠部２３の上下方向の寸法は、対応する係合アーム２０の上下方向の寸法よりも若干大きく形成されている。そして、切欠部２３は、一対の面１０の延在方向と直交する方向から見て、第１端面１３を切り欠いたように形成されている。
【００２９】
上側係合軸受入溝２４は、柵部材１が他の柵部材１の第１連結部１５と連結される際に他の柵部材１の上側係合軸２１を受け入れる。上側係合軸受入溝２４は、一対の面１０の一方の面に形成された凹溝である。そして、上側係合軸受入溝２４の上端から切欠部２３の下端までの寸法が、第１連結部１５の上側係合軸２１の上端から下側係合軸２２の下端までの寸法よりも若干大きくなるように規定されている。したがって、第１連結部１５及び後述する第４連結部５３を一方の面１０から上側係合軸受入溝２４に挿入することができるように構成されている。
【００３０】
下側係合軸受入溝２５は、柵部材１が他の柵部材１の第１連結部１５と連結される際に他の柵部材１の下側係合軸２２を受け入れる。下側係合軸受入溝２５は、一対の面１０の他方の面に形成された凹溝である。下側係合軸受入溝２５の凹溝の底部は、上側係合軸受入溝２４の底部と上下方向に並ぶように構成されている。したがって、下側係合軸６２が下側係合軸受入溝２５に向かって移動するように部材を動かすことによって、下側係合軸受入溝２５と第１連結部１５の下側係合軸２２又は下側係合軸受入溝２５と第４連結部５３の下側係合軸６２とを係合させることができる。そして、切欠部２３の上端から下側係合軸受入溝２５の下端までの寸法が、第１連結部１５の係合アーム２０の上端から下側係合軸２２の下端までの寸法よりも若干大きくなるように規定されている。したがって、上側係合軸受入溝２４に挿入した第１連結部１５又は後述する第４連結部５３を下方にスライドさせたときに、第１連結部１５の上側係合軸２１又は第４連結部５３の上側係合軸６１が上側係合軸受入溝２４から外れないようになっている。
【００３１】
また、本実施の形態において、柵部材１は、一対の面１０を接続するように形成されている複数の視認孔２６が形成されている。これによって、使用時において、一対の面１０の一方の側に居る乳幼児が他方の側に居る親等を視認することができ、乳幼児は一対の面１０の一方の側において安心感を得ることができるようになっている。
【００３２】
柵支持部材２は、図２に示すように、本実施の形態において、側部４及び突張部５を備える。
【００３３】
側部４は、柱状に形成されている。本実施の形態において、柵部材１は、例えば、ブロー成形によって成形された中空の部材である。そして、柵部材１は、対向する一対の面４０と、一対の面４０の上縁を接続する上端面４１と、一対の面４０の下縁を接続する下端面４２と、一対の面４０のそれぞれの側縁を接続し、且つ、上端面４１及び下端面４２のそれぞれの側縁を接続する一対の側端面４３とを有する。
【００３４】
そして、側部４には、上端面４１と下端面４２とを接続するように形成され、側部４の延在方向に延びる貫通孔３２が形成されている。すなわち、貫通孔３２は、柵部材１が起立するように柵部材１を支持した状態において、上下方向に延在するように形成されている。
【００３５】
また、側部４の一方の側端面４３に側部４の延在方向に並ぶ一対の第３連結部３３が形成されている。
【００３６】
第３連結部３３は、柵部材１の第２連結部１６と同一の形状であり、柵支持部材２が柵部材１を縦方向において起立させて柵部材１を支持するように柵部材１の第１連結部１５と連結可能に構成されている。すなわち、第３連結部３３は、一方の側端面４３に形成された切欠部３５と、切欠部３５の底部から上方に延在する上側係合軸受入溝３６と、切欠部３５の底部から下方に延在する下側係合軸受入溝３７と、を備えている。
【００３７】
一対の切欠部３５は、側部４が柵部材１の第１連結部１５と連結される際に柵部材１の係合アーム２０が挿入される部分であり、それぞれの切欠部２３の上下方向の寸法は、対応する係合アーム２０の上下方向の寸法よりも若干大きく形成されている。そして、切欠部２３は、一対の面４０の延在方向と直交する方向から見て、一方の側端面４３を切り欠いたように形成されている。
【００３８】
上側係合軸受入溝３６は、側部４が柵部材１の第１連結部１５と連結される際に柵部材１の上側係合軸２１を受け入れる。上側係合軸受入溝３６は、一対の面４０の一方の面に形成された凹溝である。そして、側部４の延在方向において、上側係合軸受入溝３６の上端から切欠部３５の下端までの寸法が、柵部材１の第１連結部１５の上側係合軸２１の上端から下側係合軸２２の下端までの寸法よりも若干大きくなるように規定されている。したがって、第１連結部１５を一方の面１０から切欠部３５及び上側係合軸受入溝３６に挿入することができるように構成されている。
【００３９】
下側係合軸受入溝３７は、側部４が柵部材１の第１連結部１５と連結される際に柵部材１の下側係合軸２２を受け入れる。下側係合軸受入溝３７は、一対の面４０の他方の面に形成された凹溝である。下側係合軸受入溝３７の凹溝の底部は、上側係合軸受入溝３６の底部と上下方向に並ぶように構成されている。したがって、第１連結部１５が第３連結部３３の切欠部３５及び上側係合軸受入溝３６に挿入された状態で、下側係合軸２２が下側係合軸受入溝３７に向かって移動するように、柵部材１又は側部４を動かすことによって、下側係合軸受入溝３７と下側係合軸２２とを係合させることができる。そして、切欠部３５の上端から下側係合軸受入溝３７の下端までの寸法が、柵部材１の第１連結部１５の係合アーム２０の上端から下側係合軸２２の下端までの寸法よりも若干大きくなるように規定されている。したがって、下側係合軸２２が下側係合軸受入溝３７に向かって移動するように、柵部材１又は側部４を動かしたときに、第１連結部１５の上側係合軸２１が上側係合軸受入溝２４から外れないようになっている。
【００４０】
突張部５は、詳細は後述するように柵部材１の設置場所の床と天井との間で突っ張る突張機構を備える。
【００４１】
突張機構は、図２に示すように、例えば、中空の筒状に形成されている外側杆４５と、外側杆４５に入れ子状に配置された筒状の内側杆４６と、外側杆４５と内側杆４６との相対的な位置関係を変更可能且つこの相対的な位置関係を保持可能な図示しない保持機構とを備える。突張機構は、周知の機構によって構成することができるので、これ以上の説明を省略する。
【００４２】
そして、外側杆４５は、貫通孔３２に挿通可能な径に形成されている。
【００４３】
また、本実施の形態において、突張部５は、突張部５の延在方向と直交する方向に突張部５から突出するように設けられたスペーサ４７を有する。
【００４４】
なお、本実施の形態において、側部４及び突張部５は、別体であるがこれに限られるものではなく、これに代えて、側部４及び突張部５を一体的に形成してもよい。
【００４５】
柵支持部材３は、本実施の形態において、側部６及び突張部５を備える。
【００４６】
側部６は、側部４と同様に柱状に形成されている。側部４と側部６とは、連結部の構成において異なる。すなわち、側部４は、一方の側端面４３に側部４の延在方向に並ぶ一対の第３連結部３３が形成されているのに対し、側部６は、柵支持部材３の一方の側端面に柵支持部材３の延在方向に並ぶ一対の第４連結部５３が形成されている。
【００４７】
第４連結部５３は、図３に示すように、柵部材１の第１連結部１５と同一の形状であり、柵支持部材３が柵部材１を縦方向において起立させて柵部材１を支持するように柵部材１の第２連結部１６と連結可能に構成されている。すなわち、第１端面１３から外方に突出する係合アーム６０と、各係合アーム６０の先端部から上方に延在する円柱状の上側係合軸６１と、各係合アーム６０の先端部から下方に延在し、上側係合軸６１と同軸に配置された円柱状の下側係合軸６２とを備えている。
【００４８】
柵支持部材３の突張部５は、柵支持部材２の突張部５と同様の構成であるので、その説明を省略する。
【００４９】
［使用例］
次に、乳幼児通行規制用柵１００の使用例を説明する。
【００５０】
（ベビーフェンスとしての使用例）
図４は、乳幼児通行規制用柵１００をベビーフェンスとして使用する場合における乳幼児通行規制用柵１００の組み立て方法を示す斜視図である。
【００５１】
図２及び図４に示すように、乳幼児通行規制用柵１００をベビーフェンスとして使用する場合は、何れか一の柵部材１の一対の第１連結部１５と柵支持部材２の側部４の一対の第３連結部３３とを連結する。
【００５２】
一対の第１連結部１５と一対の第３連結部３３との連結は、以下の通り行う。まず、図４（ａ）に示すように、一対の第１連結部１５の上側係合軸２１、係合アーム２０の先端部、及び下側係合軸２２を一対の第３連結部３３の切欠部３５及び上側係合軸受入溝３６にそれぞれ挿入する。次に、図４（ｂ）に示すように、下側係合軸２２（図３参照）が下側係合軸受入溝３７（図３参照）に向かって移動するように、側部４を動かす。これによって、第１連結部１５と第３連結部３３とを係合させることができる。また、これによって、第１連結部１５の係合アーム２０が第３連結部３３の切欠部３５内に位置するので、柵支持部材２の側部４を柵部材１の上側係合軸２１（図３参照）及び下側係合軸２２（図３参照）の軸線周りに回動させることができる。次に、図４（ｃ）に示すように、柵部材１と柵支持部材２とが一列に並ぶように、柵支持部材２の側部４を柵部材１の上側係合軸２１（図３参照）及び下側係合軸２２（図３参照）の軸線周りに回動させる。これによって、第１連結部１５は、第３連結部３３に対する縦方向への相対的な移動が規制され、第１連結部１５と第３連結部３３との連結が外れることを防止することができる。
【００５３】
次に、何れか一の柵部材１の一対の第２連結部１６と柵支持部材３の側部６の一対の第４連結部５３とを連結する。
【００５４】
一対の第２連結部１６と一対の第４連結部５３との連結は、以下の通り行う。まず、図４（ａ）に示すように、一対の第４連結部５３の上側係合軸６１、係合アーム６０の先端部、及び下側係合軸６２を一対の第２連結部１６の切欠部２３及び上側係合軸受入溝２４にそれぞれ挿入する。次に、図４（ｂ）に示すように、下側係合軸６２（図３参照）が下側係合軸受入溝２５（図３参照）に向かって移動するように、側部６を動かす。これによって、第２連結部１６と第４連結部５３とを係合させることができる。また、これによって、第４連結部５３の係合アーム６０が第２連結部１６の切欠部２３内に位置するので、柵支持部材３の側部６を上側係合軸６１（図３参照）及び下側係合軸６２（図３参照）の軸線周りに回動させることができる。次に、図４（ｃ）に示すように、柵部材１と柵支持部材３とが一直線に並ぶように、柵支持部材３の側部６を上側係合軸６１（図３参照）及び下側係合軸６２（図３参照）の軸線周りに回動させる。
【００５５】
次に、柵支持部材２の側部４及び柵支持部材３の側部６の貫通孔３２に突張部５を挿通する。これによって、ベビーフェンスが構成される。
【００５６】
次に、部屋の出入口の開口部等の乳幼児通行規制用柵１００の設置場所の床と天井の間で突っ張るように、各突張部５の突張機構を操作する。これによって、乳幼児通行規制用柵１００は、設置される場所の床と天井との間に固定される。また、柵部材１は、柵支持部材２，３によって起立するように支持される。すなわち、柵支持部材２の第３連結部３３及び柵支持部材３の第４連結部５３は、柵部材１と連結されることによって、柵部材１を縦方向において起立させて柵部材１を支持する。
【００５７】
このように、部屋の出入り口等の通路を塞ぐように乳幼児通行規制用柵１００を設置することによって、乳幼児の通路の通行することを規制することができる。
【００５８】
なお、乳幼児通行規制用柵１００の設置場所の壁面と突張部５のスペーサ４７とが当接するように設置することによって、乳幼児通行規制用柵１００が設置場所の壁面に向かう方向にずれることを防止することができる。
【００５９】
なお、上記実施の形態においては、一つの柵部材１を用いてベビーフェンスを構成したが、これに限られるものではない。例えば、通路の幅が広い場合には、図５に示すように、複数の柵部材１を一列に連結した上で、両端部の貫通孔３２に突張部５を挿通して設置してもよい。このように、任意の枚数の柵部材１を連結することによって、様々な幅の通路を塞ぐことができる。
【００６０】
（ベビーサークルとしての使用例）
図１に示すように、乳幼児通行規制用柵１００をベビーサークルとして使用する場合は、６つの柵部材１が囲いを構成するように柵部材１を連結する。柵部材１同士の連結は、一方の柵部材１の第１連結部１５と他方の柵部材１の第２連結部１６を連結することによって行う。
【００６１】
すなわち、まず、一の柵部材１の一対の第１連結部１５の上側係合軸２１、係合アーム２０の先端部、及び下側係合軸２２を他の一の柵部材１の一対の第２連結部１６の切欠部２３及び上側係合軸受入溝２４にそれぞれ挿入する。次に、下側係合軸２２（図３参照）が下側係合軸受入溝２５（図３参照）に向かって移動するように、少なくとも一方の柵部材１を動かす。これによって、双方の柵部材１の縦方向が互いに一致するように一の柵部材１の第１連結部１５と他の一の柵部材１の第２連結部１６とを係合させることができる。また、これによって、第１連結部１５の係合アーム２０が第２連結部１６の切欠部２３内に位置するので、上側係合軸２１（図３参照）及び下側係合軸２２（図３参照）の軸線周りに一方の柵部材１を他の柵部材１に対して回動させることができる。このようにして６つの乳幼児通行規制用柵１００が一列に並ぶように連結する。
【００６２】
次に、一列に連結された６つの乳幼児通行規制用柵１００の両端の第１連結部１５と第２連結部１６とを連結する。これによって、６つの柵部材１が囲いを構成し、内部に乳幼児を収容する領域が区画される。なお、上述の通り、一方の柵部材１を他の柵部材１に対して回動させることができるので、任意の数の柵部材１を連結して、任意の広さの領域を区画することができる。
【００６３】
以上に説明したように、本発明の乳幼児通行規制用柵１００は、ある柵部材１の第１連結部１５を他の柵部材１の第２連結部１６と、例えば、双方の柵部材１が連結される部分において互いに屈曲するように連結することにより、双方の柵部材１を縦方向において起立させることができる。したがって、適宜な数の柵部材１を上述の要領で連結することによって、柵部材１の囲いを形成することができる。一方、柵部材１の第１連結部１５及び第２連結部１６に柵支持部材２の第３連結部３３及び柵支持部材３の第４連結部５３を連結することによって、柵支持部材２，３が柵部材１を縦方向において起立させて柵部材１を支持するので、柵部材１によって通路を塞ぐことができる。従って、乳幼児通行規制用柵１００をベビーサークル及びベビーフェンスとしての用途にあった形態に変更することができる。すなわち、乳幼児の成長に伴って、ベビーサークル形態における乳幼児通行規制用柵１００の乳幼児を収容する領域が狭小となった場合には、ベビーフェンス形態の乳幼児通行規制用柵１００を部屋の出入口等に設置することによって、廃棄せずに乳幼児通行規制用柵１００を継続して使用することができる。したがって、資源を有効利用することができる。
【００６４】
（実施の形態２）
図６は、本発明の実施の形態２に係る乳幼児通行規制用柵２００の構成例を示す斜視図である。上記実施の形態１において、乳幼児通行規制用柵１００は、ベビーフェンスとしての使用時において、突張部５を用いて設置場所の床と天井との間に乳幼児通行規制用柵１００を固定して設置されるものを例示したが、本実施の形態において、乳幼児通行規制用柵２００は脚部７０を用いて、設置場所の床面に載置される。
【００６５】
すなわち、図６に示すように、本実施の形態において、柵支持部材２は、側部４及び脚部７０を備える。
【００６６】
側部４は、上記実施の形態１における側部４と同様の構成であるので、その説明を省略する。
【００６７】
脚部７０は、例えば、円柱状に形成された柱部７１と、柱部７１の下端部において、柱部７１の延在方向と直交する方向に延在する脚７２とを備える。
【００６８】
柱部７１は、貫通孔３２に挿通可能な径に形成されている。
【００６９】
また、本実施の形態において、柵支持部材３は、側部６及び脚部７０を備える。
【００７０】
側部６は、上記実施の形態１における側部６と同様の構成であるので、その説明を省略する。
【００７１】
脚部７０は、柵支持部材２の脚部７０と同様の構成であるので、その説明を省略する。
【００７２】
（ベビーフェンスとしての使用例）
乳幼児通行規制用柵２００をベビーフェンスとして使用する場合は、まず、上記実施の形態１と同様に、柵部材１の第１連結部１５と側部４の第３連結部３３とを連結すると共に、柵部材１の第２連結部１６と側部６の第４連結部５３とを連結する。
【００７３】
その上で、側部４及び側部６のそれぞれの貫通孔３２に脚部７０の柱部７１を挿通して、脚部７０を側部４，６に取り付ける。このとき、柵部材１の下端面１２に対応する高さに脚部７０が位置するように脚部７０を取り付ける。この状態において、脚部７０は、柵部材１の延在面と直交する方向に延在している。
【００７４】
次に、部屋の出入口の開口部等の設置場所の床に載置する。
【００７５】
このように、部屋の出入り口等の通路を塞ぐように乳幼児通行規制用柵１００を設置することによって、乳幼児がこの通路を通行することを規制することができる。
【００７６】
そして、乳幼児通行規制用柵２００は、床に載置することによって設置されているため、乳幼児通行規制用柵２００の設置場所の変更を容易に行うことができる。
【００７７】
（実施の形態３）
図７は、本発明の実施の形態３に係る乳幼児通行規制用柵３００の構成例を示す正面図である。上記実施の形態１において、乳幼児通行規制用柵１００は、ベビーフェンスとしての使用時において、突張部５を用いて設置場所の床と天井との間に乳幼児通行規制用柵１００を固定して設置されるものを例示したが、本実施の形態において、杆部８０と、２つの固定部８１とによって、設置場所に取付けられる。
【００７８】
すなわち、図７に示すように、本実施の形態において、柵支持部材２は、側部４、杆部８０及び２つの固定部８１を備える。
【００７９】
側部４は、上記実施の形態１における側部４と同様の構成であるので、その説明を省略する。
【００８０】
杆部８０は、柱状に形成され、その長さ寸法が貫通孔３２の長さ寸法よりも長く形成されている。
【００８１】
固定部８１は、弧状に延びる筒状に形成され、それぞれの端部の延在方向が直交するように形成されている。そして、一方の端部は、杆部８０の端部と連結することができるように構成され、他方の端部は、設置場所の壁面に取付けることができるように構成されている。
【００８２】
また、本実施の形態において、柵支持部材３は、側部６及び杆部８０及び２つの固定部８１を備える。
【００８３】
側部６は、上記実施の形態１における側部６と同様の構成であるので、その説明を省略する。
【００８４】
（ベビーフェンスとしての使用例）
乳幼児通行規制用柵３００をベビーフェンスとして使用する場合は、まず、上記実施の形態１と同様に、柵部材１の第１連結部１５と側部４の第３連結部３３とを連結すると共に、柵部材１の第２連結部１６と側部６の第４連結部５３とを連結する。
【００８５】
その上で、側部４及び側部６のそれぞれの貫通孔３２に杆部８０をそれぞれ挿通する。
【００８６】
次に、柵部材１が起立するように、部屋の出入口の開口部等の設置場所の壁面と杆部８０の両端部とを固定部８１を用いて連結し、設置場所の壁に杆部８０の両端を固定する。
【００８７】
このように、部屋の出入り口等の通路を塞ぐように乳幼児通行規制用柵１００を設置することによって、乳幼児がこの通路を通行することを規制することができる。
【００８８】
＜変形例＞
上記実施の形態においては、係合アーム、上側係合軸及び下側係合軸を有する連結部と、切欠部、上側係合軸受入溝及び下側係合軸受入溝を有する連結部を連結することによって、柵部材同士又は柵部材と柵支持部材の側部とを連結したがこれに限られるものではない。これに代えて、蝶番部材によって柵部材同士又は柵部材と柵支持部材の側部とを連結してもよい。
【産業上の利用可能性】
【００８９】
本件発明は、本発明は、乳幼児の育児器具に有用である。
【符号の説明】
【００９０】
１  柵部材
２  柵支持部材
３  柵支持部材
４  側部
５  突張部
６  側部
１３  第１端面
１４  第２端面
１５  第１連結部
１６  第２連結部
２０  係合アーム
２１  上側係合軸
２２  下側係合軸
２３  切欠部
２４  上側係合軸受入溝
２５  下側係合軸受入溝
３０  上端面
３１  下端面
３２  貫通孔
３３  第３連結部
３５  切欠部
３６  上側係合軸受入溝
３７  下側係合軸受入溝
４３  側端面
４５  外側杆
４６  内側杆
４７  スペーサ
５３  第４連結部
６０  係合アーム
６１  上側係合軸
６２  下側係合軸
１００  乳幼児通行規制用柵
【図１】
2014166262.tif 000003
【図２】
2014166262.tif 000004
【図３】
2014166262.tif 000005
【図４】
2014166262.tif 000006
【図５】
2014166262.tif 000007
【図６】
2014166262.tif 000008
【図７】
2014166262.tif 000009